(57)【要約】【課題】  加熱室の内面に対して円滑に受け皿を出し入れすることができるロースターを提供する。【解決手段】  ロースターは、ロースター庫２と、その内部に出し入れ可能に収容される受け皿３とから構成されている。ロースター庫２は、その表面にホーロー被膜２ｂが形成され、受け皿３の表面にはホーロー被膜３ｂが形成されている。前記ロースター庫２のホーロー被膜２ｂの表面は凹凸が多く、前記受け皿３のホーロー被膜３ｂの表面は凹凸が少なく滑らかに構成されている。【選択図】  図２
2007000413.tif 000002
【特許請求の範囲】
【請求項１】
加熱室と、前記加熱室内に出し入れ可能に収容される受け皿とを備えたロースターにおいて、
前記加熱室の内面及び前記受け皿の表面にはホーロー被膜が施され、前記加熱室のホーロー被膜と前記受け皿のホーロー被膜は、その表面の滑らかさが異なるように構成されていることを特徴とするロースター。
【請求項２】
受け皿のホーロー被膜は加熱室のホーロー被膜よりも表面が滑らかであることを特徴とする請求項１記載のロースター。
【発明の詳細な説明】
【技術分野】
【０００１】
本発明は、加熱室と前記加熱室内に出し入れ可能に収容される受け皿とを備えたロースターに関する。
【背景技術】
【０００２】
ロースターは、加熱室としてのロースター庫内の底部に受け皿が配置されて構成されている。前記受け皿の上には被加熱物を載せるための焼網が着脱可能に載置されている。前記受け皿は、通常、ロースター扉の後面に取り付けられており、前記扉の出し入れに連動してロースター庫内に出し入れされるようになっている（例えば特許文献１参照）。
【特許文献１】特開２００３−８３５５号公報
【発明の開示】
【発明が解決しようとする課題】
【０００３】
前記受け皿には、調理物（例えば焼き魚）から落ちる油分等を受けるための水が貯留される。従って、ロースター庫内に対して受け皿を出し入れする際に前記受け皿がガタガタしたり、受け皿がロースター庫の内面に引っ掛かったりすると、貯留されている水がこぼれてしまうという問題があった。
【０００４】
本発明は上記事情に鑑みてなされたものであり、その目的は加熱室の内面に対して円滑に受け皿を出し入れすることができるロースターを提供することにある。
【課題を解決するための手段】
【０００５】
本発明は、加熱室と、前記加熱室内に出し入れ可能に収容される受け皿とを備えたロースターにおいて、前記加熱室の内面及び前記受け皿の表面にホーロー被膜を施すと共に、前記加熱室のホーロー被膜と前記受け皿のホーロー被膜を、その表面の滑らかさが異なるように構成したことを特徴とする。
【０００６】
ホーロー被膜の表面の滑らかさは、ホーロー被膜の表面に存在する突起の多少による。このような突起の多少は、ホーロー被膜の釉薬の構成成分の違いによって変化する。また、ホーロー被膜の表面を薬品処理やエッチング処理することによって変化させることも可能である。
【発明の効果】
【０００７】
ホーロー被膜の表面は、一見すると滑らかであるが、よく見ると多数の突起が表面に存在する。このような突起が、加熱室の内面及び受け皿の表面に多数存在すると、加熱室に対して受け皿を出し入れするときに受け皿ががたついたり引っ掛かったりすると考えられる。一方、加熱室及び受け皿のホーロー被膜の表面の両方に殆ど突起が存在しない場合には、受け皿と加熱室との間に水分が入り込んだときに両者が密着してしまい、かえって受け皿を出し入れし難くなる。本発明では、前記加熱室の内面及び前記受け皿の表面に施されたホーロー被膜の表面の滑らかさを異ならせたため、加熱室に対する受け皿の出し入れ操作を円滑に行うことができる。
【発明を実施するための最良の形態】
【０００８】
以下、本発明の一実施例について図面を参照しながら説明する。本実施例に係るロースター１は、例えばシステムキッチンに組み込まれるクッキングヒータの一部を構成するものであり、図１に示すように、前面が開口した矩形箱状のロースター庫２と、前記ロースター庫２内の底部に配置される角皿状の受け皿３とを備えている。前記受け皿３には水Ｗが貯留されている。前記ロースター庫２の内部が本発明の加熱室に相当する。
【０００９】
前記ロースター庫２は、クッキングヒータの本体ケース（図示せず）に設けられた収納部に着脱可能に取り付けられるようになっており、前記本体ケースから取り外して洗浄できるように構成されている。
【００１０】
前記受け皿３の上には焼き網４が着脱可能に載置されている。前記焼き網４は例えば一対の脚を有しており、被加熱物Ｆの載置面が受け皿３よりも上方に位置するように構成されている。前記受け皿３は、ロースター扉５の後面に取り付けられており、前記扉５の出し入れに連動してロースター庫２内に出し入れされるようになっている。
【００１１】
ロースター庫２内のうち天井部の下方部及び前記焼き網４の下方部には、それぞれ上ヒータ６及び下ヒータ７が配置されている。前記上ヒータ６及び下ヒータ７は前記本体ケースに取り付けられている。ロースター庫２を前記本体ケースに取り付けたとき、前記上ヒータ６及び下ヒータ７は、前記ロースター庫２の後部の開口８，９を通してロースター庫２内に配置されるようになっている。尚、図示しないが、前記開口８，９のうち上部の開口８の周囲部には排気ダクトが連結されるようになっている。
【００１２】
前記ロースター庫２及び受け皿３は次のようにして製造される。まず、ホーロー用鋼板を板金加工、プレス加工などにより前記受け皿及びロースター庫の形状に成形して成形加工品を形成する。次に、ホーロー処理の前処理として前記成形加工品の表面の油や汚れをアルカリ洗剤で取り除いた後（アルカリ脱脂）、釉薬の付着を促進するためにニッケル溶液に浸ける（ニッケル処理）。続いて、成形加工品をアルカリ溶液に浸けて中和させ、乾燥させた後、ホーロー被膜を形成する。ホーロー被膜は、成形加工品を液状の釉薬に浸してくすり掛けをした後、乾燥させ、焼成させることにより密着する。以上の方法により製造されたロースター庫２及び受け皿３の断面構造を図２に示す。図２に示すように、ロースター庫２及び受皿３は、成形加工品２ａ及び３ａの表面にホーロー被膜２ｂ及び３ｂが施された構成となっている。
【００１３】
ところで、ホーロー被膜を形成するために用いられる釉薬に含まれる成分の違いによってホーロー被膜の表面の滑らかさが異なることが知られている。そこで、本実施例では、含有成分が異なる２種類の釉薬を用いてロースター庫２及び受け皿３のホーロー被膜２ｂ、３ｂをそれぞれ形成している。図３に、ロースター庫２及び受け皿３のホーロー被膜２ｂ及び３ｂの含有成分の重量比率を示す。この重量比率は、ロースター庫２及び受け皿３の表面を、エネルギー分散型蛍光Ｘ線分析装置（ＥＤＸ）を用いて分析した結果に基づくものである。
【００１４】
図３に示すように、受け皿３のホーロー被膜３ｂに含まれる成分は、酸素、ナトリウム、珪素、カリウム、チタンから構成されている。一方、ロースター庫２のホーロー被膜２ｂには、上記した成分に加えてアルミニウム、カルシウム、クロム、マンガン、鉄、コバルト、ニッケルが含まれている。
【００１５】
図４Ａ及び４Ｂは、ロースター庫２及び受け皿３の表面粗さ（滑らかさ）の分析結果の一部を示している。図４Ａ及び４Ｂの縦軸は凹凸の深さを示しており、１目盛が２μｍに相当する。また、横軸は１目盛りが０．５ｍｍに相当する。これらの図から明らかなように、受け皿３の表面は、ロースター庫２の表面に比べて、凹凸の深さが小さく表面が滑らかである。このような凹凸の深さの違いは、釉薬の含有成分の粒子径の大きさの違いによる。本実施例では、ロースター庫２のホーロー被膜２ｂの釉薬にのみ含まれる成分（アルミニウム、カルシウム、クロム、マンガン、鉄、コバルト、ニッケル）に起因すると考えられる。
【００１６】
このように、受け皿３の表面を比較的滑らかに、ロースター庫２の表面に比較的凹凸が多くなるように構成したことにより次の作用、効果が得られる。即ち、ロースター庫２から受け皿３を出し入れする際に、ロースター庫２内の凹凸に引っ掛かる凹凸が受け皿３には少ししか存在しないため、ロースター庫２内に対する受け皿３の出し入れを円滑に行うことができる。従って、受け皿３の出し入れの際に受け皿３に貯留されている水Ｗがこぼれてしまうといった不具合を無くすことができる。
【００１７】
また、受け皿３の表面のみを滑らかにし、ロースター庫２の表面には比較的多くの凹凸が存在するように構成したため、受け皿３とロースター庫２の接触面積が小さくなる。このため、受け皿３の出し入れの際の受け皿３とロースター庫２との摩擦音を低減することができる。更に、受け皿３とロースター庫２との間に水分が入り込んだ場合でも両者が密着することがなく、容易に受け皿３を出し入れすることができる。
【００１８】
また、受け皿３は、焼き網４に載置される被加熱物Ｆから出る油を受ける構成であるため汚れ易く、加熱調理を行う毎に洗浄する必要がある。本実施例では、受け皿３の表面を滑らかにしたため、前記受け皿３の洗浄作業を容易にすることができる。
【００１９】
尚、本発明は上記した実施例に限定されるものではなく、例えば次のような変形が可能である。
上記実施例では着脱式のロースター庫を備えたロースターについて説明したが、本発明は固定式のロースター庫を備えたロースターにも適用できる。また、本発明は、システムキッチンのクッキングヒータに組み込まれるロースターの他、ロースター単独で構成されたものにも適用できる。
【００２０】
ロースター庫２のホーロー被膜２ｂは、受け皿３と接触するロースター庫２の内面のみに設けても良い。
加熱室の内面及び受け皿の両方を同じ釉薬を用いてホーロー被膜を形成し、この後、一方のホーロー被膜の表面を薬品処理したりエッチング処理したりすることにより表面の滑らかさが異なるように構成することも可能である。また、加熱室及び受け皿に釉薬を付着させる方法を異ならせることにより（例えば、一方は釉薬の中に浸漬させ、他方は釉薬をスプレーで吹き付ける等）、加熱室と受け皿のホーロー被膜の表面の滑らかさを異ならせても良い。
【００２１】
加熱室のホーロー被膜の方が受け皿のホーロー被膜よりも、その表面が滑らかになるように構成しても良い。
【図面の簡単な説明】
【００２２】
【図１】本発明の一実施例を示すロースターの縦断側面図
【図２】受け皿の一部縦断面図
【図３】ホーロー被膜の含有成分の重量比率を示す図
【図４Ａ】受け皿の表面の滑らかさを説明するための図
【図４Ｂ】ロースター庫の表面の滑らかさを説明するための図
【符号の説明】
【００２３】
図面中、１はロースター、２はロースター庫（加熱室）、２ｂ，３ｂはホーロー被膜、３は受け皿を示す。
【図１】
2007000413.tif 000003
【図２】
2007000413.tif 000004
【図３】
2007000413.tif 000005
【図４Ａ】
2007000413.tif 000006
【図４Ｂ】
2007000413.tif 000007